【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
第１の方法を使用して第１の時間的瞬間にバッテリの充電状態の第１の判断を行なうステップと、
第１の方法とは異なる第２の方法を使用して第２の時間的瞬間にバッテリの充電状態の第２の判断を行なうステップと、
第１および第２の判断の情報を使用して第１および第２の時間的瞬間にバッテリの充電状態に関する情報を与えるステップと、
前記バッテリの充電状態を使用して第１の方法と第２の方法との間で切り換えるステップと、
を含むバッテリ充電表示方法。
【請求項２】
第３の時間的瞬間に第１および第２の方法の情報を組み合わせることにより、第３の時間的瞬間にバッテリの充填状態に関する情報の第３の判断を行なうステップを更に含む請求項１に記載の方法。
【請求項３】
前記第１および第２の判断は、第１および第２の判断のうちのそれぞれの判断中にバッテリの異なる電気パラメータを監視することを含む請求項１に記載の方法。
【請求項４】
前記第１の判断は、バッテリの電流のクーロンを計数することを含み、前記第２の判断は、バッテリのセルの電圧を監視することを含む請求項１に記載の方法。
【請求項５】
第３の時間的瞬間に第１および第２の方法の情報を組み合わせることにより、第３の時間的瞬間にバッテリの充填状態に関する情報の第３の判断を行なうステップを更に含む請求項４に記載の方法。
【請求項６】
第１の充電状態から第１の充電状態よりも大きい第２の充電状態へとバッテリを再充電するとともに、再充電の前後にバッテリの充電状態を表示するステップを更に含む請求項１に記載の方法。
【請求項７】
前記第１および第２の判断のうちの少なくとも一方は、バッテリの減少された容量に対応することを含む請求項１に記載の方法。
【請求項８】
前記第１および第２の判断のうちの少なくとも一方は、バッテリのセルの放電電圧プロファイルを使用して判断することを含む請求項１に記載の方法。
【請求項９】
温度を監視するステップを更に含み、前記第１および第２の判断のうちの少なくとも一方は、温度を使用して判断することを含む請求項１に記載の方法。
【請求項１０】
バッテリの充電情報に関する情報をユーザへ知らせるステップを更に含む請求項１に記載の方法。
【請求項１１】
前記第１および第２の時間的瞬間は、充電式バッテリを備えるバッテリの第１および第２の放電サイクルのそれぞれの最中に起こり、前記第２の判断は、第１の放電サイクル中に得られる情報を使用して判断することを含む請求項１に記載の方法。
【請求項１２】
第１の放電サイクルにおけるバッテリの放電中にバッテリを監視するステップと、
前記監視を使用して、第１の放電サイクルにおけるバッテリの放電に関する情報を生成するステップと、
第１の放電サイクルにおけるバッテリの放電後にバッテリを再充電するステップと、
再充電後に第２の放電サイクルにおけるバッテリの放電中にバッテリの充電状態に関する情報を与えるステップと、
を含み、
充電状態に関する情報を与える前記ステップは、第１の放電サイクルにおけるバッテリの放電に関する情報を使用して与えることを含む
バッテリ充電表示方法。
【請求項１３】
第１の放電サイクルにおけるバッテリの放電中にバッテリの充電状態に関する情報を与えるステップを更に含み、第１および第２の放電サイクルにおけるバッテリの放電中に情報を与える前記ステップは、充電状態を計算するための複数の異なる方法のうちのそれぞれの方法を使用して与えることを含む請求項１２に記載の方法。
【請求項１４】
第２の放電サイクルにおけるバッテリの放電中にバッテリを監視するステップを更に含み、バッテリの充電状態に関する情報を与える前記ステップは、第２の放電サイクルにおけるバッテリの放電中にバッテリを監視して得られる情報を使用して与えることを含む請求項１２に記載の方法。
【請求項１５】
バッテリを監視する前記ステップは、異なる時間的瞬間にバッテリの複数の異なる電気パラメータを監視することを含む請求項１２に記載の方法。
【請求項１６】
バッテリと結合するように構成されるインタフェースと、
インタフェースと結合され且つ複数の異なる時間的瞬間にバッテリの充電状態に関する情報を与えるように構成される処理回路であって、第１の方法を使用して第１の時間的瞬間に充電状態に関する情報を判断するとともに、第１の方法と異なる第２の方法を使用して第２の時間的瞬間に充電状態に関する情報を与えるように構成される処理回路と、
を備え、
処理回路は、第１および第２の方法と異なる第３の方法を使用して第３の時間的瞬間にバッテリの充電状態に関する情報を与えるように構成され、第３の方法は、第３の時間的瞬間に第１および第２の方法を使用して得られる情報を使用する、
バッテリ充電モニタ装置。
【請求項１７】
前記処理回路は、第１の方法および第２の方法の使用中にバッテリの複数の異なる電気パラメータのうちのそれぞれのパラメータを監視するように構成される請求項１６に記載の装置。
【請求項１８】
前記処理回路は、第１の方法の使用中にバッテリの電流を監視し且つ第２の方法の使用中にバッテリのセルの電圧を監視するように構成される請求項１６に記載の装置。
【請求項１９】
前記処理回路は、セルの電圧とセルの放電電圧プロファイルとを比較して、第２の時間的瞬間に充電状態に関する情報を判断するように構成される請求項１８に記載の装置。
【請求項２０】
前記処理回路は、バッテリの充電状態に応じて第１の方法の使用から第２の方法の使用へと切り換えるように構成される請求項１６に記載の装置。
【請求項２１】
前記処理回路は、バッテリの充電状態が閾値に達することに応じて第１の方法の使用から第２の方法の使用へと切り換えるように構成される請求項１６に記載の装置。
【請求項２２】
前記処理回路は、温度を監視し且つ温度にしたがって充電状態に関する情報を調整するように構成される請求項１６に記載の装置。
【請求項２３】
電気エネルギを蓄え、放電動作モード中に電気的に放電されるとともに、充電動作モード中に電気的に充電されるように構成される少なくとも１つの再充電可能セルと、
少なくとも１つの再充電可能セルと結合されるとともに、第１の方法を実施して第１の時間的瞬間に再充電可能セルの充電状態に関する情報を与え且つ第１の方法とは異なる第２の方法を実施して第２の時間的瞬間に再充電可能セルの充電状態に関する情報を与えるように構成されるモニタ装置と、
を備え、
モニタ装置は、充電状態に関する情報を与えるために第１および第２の方法のうちの少なくとも１つの実施中に再充電可能セルの容量の減少に対応するように構成される、
充電式バッテリ。
【請求項２４】
前記モニタ装置は、第１および第２の方法と異なる第３の方法を実施して第３の時間的瞬間に再充電可能セルの充電状態に関する情報を与えるように構成され、第３の方法は、第３の時間的瞬間に第１および第２の方法によって与えられる情報を使用する請求項２３に記載のバッテリ。
【請求項２５】
前記モニタ装置は、第１の方法および第２の方法のそれぞれの実施中に再充電可能セルの異なる電気パラメータを監視するように構成される請求項２３に記載のバッテリ。
【請求項２６】
前記モニタ装置は、再充電可能セルの充電状態を使用して第１の方法の実施から第２の方法の実施へ変えるように構成される請求項２３に記載のバッテリ。
【請求項２７】
第１の方法を使用して第１の時間的瞬間にバッテリの充電状態の第１の判断を行なうステップと、
第１の方法とは異なる第２の方法を使用して第２の時間的瞬間にバッテリの充電状態の第２の判断を行なうステップと、
第１および第２の判断の情報を使用して第１および第２の時間的瞬間にバッテリの充電状態に関する情報を与えるステップと、
を含み、
第１および第２の時間的瞬間は、充電式バッテリを備えるバッテリの第１および第２の放電サイクルのそれぞれの最中に起こり、第２の判断は、第１の放電サイクル中に得られる情報を使用して判断することを含む、
バッテリ充電表示方法。
【請求項２８】
バッテリと結合するように構成されるインタフェースと、
インタフェースと結合され且つ複数の異なる時間的瞬間にバッテリの充電状態に関する情報を与えるように構成される処理回路であって、第１の方法を使用して第１の時間的瞬間に充電状態に関する情報を判断するとともに、第１の方法と異なる第２の方法を使用して第２の時間的瞬間に充電状態に関する情報を与えるように構成される処理回路と、
を備え、
前記処理回路は、第１の方法の使用中にバッテリの電流を監視し且つ第２の方法の使用中にバッテリのセルの電圧を監視するように構成される、
バッテリ充電モニタ装置。
【請求項２９】
バッテリと結合するように構成されるインタフェースと、
インタフェースと結合され且つ複数の異なる時間的瞬間にバッテリの充電状態に関する情報を与えるように構成される処理回路であって、第１の方法を使用して第１の時間的瞬間に充電状態に関する情報を判断するとともに、第１の方法と異なる第２の方法を使用して第２の時間的瞬間に充電状態に関する情報を与えるように構成される処理回路と、
を備え、
前記処理回路は、バッテリのセルの放電電圧プロファイルを使用して、第２の時間的瞬間に充電状態に関する情報を判断するように構成される、
バッテリ充電モニタ装置。
【請求項３０】
前記処理回路は、セルの電圧とセルの放電電圧プロファイルとを比較して、第２の時間的瞬間に充電状態に関する情報を判断するように構成される請求項２９に記載の装置。
【請求項３１】
バッテリと結合するように構成されるインタフェースと、
インタフェースと結合され且つ複数の異なる時間的瞬間にバッテリの充電状態に関する情報を与えるように構成される処理回路であって、第１の方法を使用して第１の時間的瞬間に充電状態に関する情報を判断するとともに、第１の方法と異なる第２の方法を使用して第２の時間的瞬間に充電状態に関する情報を与えるように構成される処理回路と、
を備え、
前記処理回路は、バッテリの充電状態を使用して第１の方法の使用から第２の方法の使用へと切り換えるように構成される、
バッテリ充電モニタ装置。
【請求項３２】
前記処理回路は、バッテリの充電状態が閾値に達することに応じて第１の方法の使用から第２の方法の使用へと切り換えるように構成される請求項３１に記載の装置。
【請求項３３】
バッテリと結合するように構成されるインタフェースと、
インタフェースと結合され且つ複数の異なる時間的瞬間にバッテリの充電状態に関する情報を与えるように構成される処理回路であって、第１の方法を使用して第１の時間的瞬間に充電状態に関する情報を判断するとともに、第１の方法と異なる第２の方法を使用して第２の時間的瞬間に充電状態に関する情報を与えるように構成される処理回路と、
を備え、
前記処理回路は、バッテリの周辺環境を監視し且つ前記監視を使用して充電状態に関する情報を調整するように構成される、
バッテリ充電モニタ装置。
【請求項３４】
前記第１および第２の判断の一方はバッテリの電気パラメータに関する情報を使用してバッテリの充電状態を判断することを含み、前記第１および第２の判断の他方はバッテリの電気パラメータに関する情報を使用せずにバッテリの充電状態を判断することを含む請求項１に記載の方法。
【請求項３５】
前記処理回路は、前記第１および第２の方法の一方の方法を使用中にバッテリの電気パラメータに関する情報を使用するように構成され、前記第１および第２の方法の他方の方法を使用中にバッテリの電気パラメータに関する情報を使用しないように構成される請求項３１に記載の装置。
【請求項３６】
前記処理回路は、バッテリの周辺環境の温度を監視し且つ前記周辺環境の温度を使用して充電状態に関する情報を調整するように構成される請求項３３に記載の装置。
【請求項３７】
前記切り換えるステップは、バッテリの充電状態を判断するために第１の方法の使用と第２の方法の使用との間で切り換えることを含む請求項１に記載の方法。